(57)【要約】【課題】干す際に落下することがなく、短時間で乾燥させることのできるタオルを提供すること。合わせて、意匠性に優れたタオルを提供すること。【解決手段】平面視長方形形状であり、長方形のタオル本体２の長辺方向の一端又はその近傍に、タオル本体の他端を係止する帯部３を備えるタオルを提供する。合わせて、帯部３のタオル本体２とは反対側の面と、タオル本体２の帯部３とは反対側の面とに、装飾模様を有するタオルを提供する。【選択図】図３
2020039524.tif 000002
【特許請求の範囲】
【請求項１】
平面視長方形形状であり、
前記長方形の長辺方向の一端又はその近傍に、前記長方形の短辺方向の一端から他端に至る帯部を備え、
前記帯部は、前記長方形の短辺方向の一端及び他端においてタオル本体に固定され、他の部分においてはタオル本体と分離していることを特徴とする、タオル。
【請求項２】
前記帯部の長さは、前記長方形の短辺の長さよりも０．５〜３ｃｍだけ長いことを特徴とする、請求項１に記載のタオル。
【請求項３】
前記帯部の前記タオル本体とは反対側の面と、前記タオル本体の前記帯部と同一の面とに、装飾模様を有することを特徴とする、請求項１又は２に記載のタオル。
【請求項４】
前記帯部の前記タオル本体とは反対側の面の装飾模様は文字を含み、
前記タオル本体の前記帯部と同一の面の装飾模様は絵柄であることを特徴とする、請求項３に記載のタオル。
【請求項５】
前記タオル本体の一面と他面とに、それぞれ前記帯部を備えることを特徴とする、請求項１〜４のいずれか１項に記載のタオル。
【発明の詳細な説明】
【技術分野】
【０００１】
本発明は、タオルに関する。
【背景技術】
【０００２】
手を拭いたり、運動中に汗を拭き取ったりするために、タオルが用いられる。タオルは、洗濯した時や拭き取った汗を蒸発させたい時に、干される。干す際には、表面積を大きくして短時間で乾燥させるために、物干し竿やハンガーにかけられることが多い。そうすると、物干し竿又はハンガーの両側の重量が相違したり、風によって摺動したりして、不安定になり、落下してしまうことがある。
【０００３】
この点、特許文献１には、折り返しを固定するための止めを設けたタオルが開示されている。かかるタオルは落下してしまうことがない。しかし、タオルの中央部に止めがあり、運動中に汗を拭き取るには使いづらい。
【先行技術文献】
【特許文献】
【０００４】
【特許文献１】特開２００３−０５２５７２号公報
【発明の概要】
【発明が解決しようとする課題】
【０００５】
本発明は、干す際に落下することがなく、短時間で乾燥させることのできるタオルを提供することを課題とする。
【０００６】
本発明はまた、意匠性に優れたタオルを提供することを合わせて課題とする。
【課題を解決するための手段】
【０００７】
本発明のタオルは、
平面視長方形形状であり、
前記長方形の長辺方向の一端又はその近傍に、前記長方形の短辺方向の一端から他端に至る帯部を備え、
前記帯部は、前記長方形の短辺方向の一端及び他端においてタオル本体に固定され、他の部分においてはタオル本体と分離していることを特徴とする。
【０００８】
この特徴によれば、帯部の設けられた長方形の長辺方向の一端を物干し竿又はハンガーの近傍に配し、他端をタオル本体と帯部の間に嵌挿することで、タオル本体を物干し竿又はハンガーに巻き付けて固定することができる。
【０００９】
本発明のタオルは、
前記帯部の長さは、前記長方形の短辺の長さよりも０．５〜３ｃｍだけ長いことを特徴とする。
【００１０】
この特徴によれば、嵌挿されるタオル本体の厚みを吸収し、安定して、整然とした外観で干すことができる。
【００１１】
本発明のタオルは、
前記帯部の前記タオル本体とは反対側の面と、前記タオル本体の前記帯部と同一の面とに、装飾模様を有することを特徴とする。
【００１２】
この特徴によれば、帯部の装飾模様とタオル本体の装飾模様とで、意匠性に優れたタオルを提供することができる。
【００１３】
本発明のタオルは、
前記帯部の前記タオル本体とは反対側の面の装飾模様は文字を含み、
前記タオル本体の前記帯部と同一の面の装飾模様は絵柄であることを特徴とする。
【００１４】
この特徴によれば、帯部に、スポーツにおけるチーム名、祭りにおけるイベント名等を表示して、印象的な意匠とすることができる。
【００１５】
本発明のタオルは、
前記タオル本体の一面と他面とに、それぞれ前記帯部を備えることを特徴とする。
【００１６】
この特徴によれば、表面と裏面の２つの意匠を楽しむことができる。
【発明の効果】
【００１７】
本発明によれば、干す際に落下することがなく、短時間で乾燥させることのできるタオルを提供することができる。また、意匠性に優れたタオルを合わせて提供することができる。
【図面の簡単な説明】
【００１８】
【図１】図１は、タオルの構造を示す図である。（実施例１）
【図２】図２は、タオルの物干し竿へのかけ方を示す図である。（実施例１）
【図３】図３は、装飾模様の例を示す図である。（実施例１）
【図４】図４は、タオルの構造を示す図である。（実施例２）
【図５】図５は、タオルの構造を示す図である。（実施例３）
【発明を実施するための形態】
【００１９】
以下、本発明の実施例を図面を参照して詳細に説明する。
【実施例１】
【００２０】
図１は、タオルの構造を示す図である。図１（Ａ）は、タオル１を正面から見た図である。タオル１は、長方形形状のタオル本体２と、タオル本体２の長方形の長辺方向の一端（図では上端）に、短辺方向の一端から他端に至る帯部３とを備えている。
【００２１】
図１（Ｂ）は、タオル１を背面から見た図である。帯部３は、タオル本体２の正面側に設けられ、背面からはほとんど視認されない。
【００２２】
図１（Ｃ）は、タオル１を右側面から見た図である。帯部３がタオル本体２の正面側に突出している。
【００２３】
図１（Ｄ）は、タオル１を上面から見た図である。帯部３は、短辺の両端のみでタオル本体２に固定され、他の部分においてはタオル本体２と分離している。すなわち、タオル本体２と帯部３との間に空間４が形成されている。
【００２４】
空間４は、帯部３が短辺よりも長いことで形成される。帯部の長さをＬ。短辺の長さをＷとすると、タオル本体２と帯部３との間の空間４の幅は、（Ｌ−Ｗ）／２となる。空間４にタオル本体２を嵌入するので、タオル本体２の厚みを考慮し、（Ｌ―Ｗ）が０．５〜３ｃｍであることが好ましい。
【００２５】
図２は、タオルの物干し竿へのかけ方を示す図である。図２（Ａ）は物干し竿にかけた状態を右側面から見た図である。タオル本体２を、物干し竿５に周回させ、空間４に嵌入することで、図に示した状態となる。この状態では、タオル本体２の重量や風による摺動によって、タオル１が物干し竿５から落下してしまうことはない。
【００２６】
図２（Ｂ）は物干し竿にかけた状態を正面から見た図である。タオル本体２の手前に帯部３が重畳されて見える。
【００２７】
タオル本体２は、全体が長く垂れ下がる。従来の通常の干し方はタオル本体２を長辺の中央で二つ折りにして物干し竿５にかけるが、二つ折りにしないので、長く垂れ下がる。外気により多く触れることとなり、短時間で乾燥する。
【００２８】
なお、物干し竿５に替えてハンガー等を用いる場合にも、同様である。
【００２９】
図３は、装飾模様の例を示す図である。図２（Ｂ）に示したように、タオル本体が広い面積で見え、そこに帯部３が重畳されるので、これを利用して意匠性に優れたものとすることができる。
【００３０】
例えば、図３（Ａ）のように、帯部３にスポーツのチーム名を示し、タオル本体２にチームのロゴを示すことで、干しているタオル１によってチームのプレゼンスを向上させることができる。
【００３１】
また、図３（Ｂ）のように、帯部３にイベントの名を示し、タオル本体２にイベントに係る絵柄を示すことで、干しているタオル１によってイベントを盛り上げることができる。
【００３２】
その他、帯部３とタオル２の表示を任意に設計することができる。上例では文字を帯部３に表示したが、文字をタオル本体２に表示しても、タオル本体２と帯部３の両方に表示しても、いずれにも表示しなくても（文字以外の表示であっても）よい。
【００３３】
ここで、干している時に風が吹くと、タオル本体２は摺動するが、帯部３は動かない。この点を利用して、常時表示したいもの（例えば図３（Ａ）におけるチーム名）を帯部３に表示するとよい。
【００３４】
以上詳細に説明したように、本実施例のタオル１は、空間４にタオル本体２を嵌入することで、タオル１が物干し竿５から落下してしまうことがなく、短時間で乾燥することができるものである。さらに、タオル本体２と帯部３とによって意匠性に優れたものとすることができる。
【実施例２】
【００３５】
本実施例は、帯部３の位置が実施例１と相違する。他は実施例１と同様であり、詳細な説明を省略する。
【００３６】
図４は、タオルの構造を示す図である。帯部３は、タオル本体２の長方形の長辺方向の上端でなく、上端から少し離間した上端帯部３近傍に配されている。
【００３７】
帯部３よりも上にタオル本体２の布地があることで、タオル１を干す時に、タオル本体２を嵌入するために帯部３を持ち上げることが、少しやりやすくなる。
【００３８】
以上説明したように、本実施例のように変形しても、実施例１と同様の効果を得ることができる。
【実施例３】
【００３９】
本実施例は、２つの帯部３（帯部３ａ及び３ｂ）を有する点で実施例１と相違する。他は実施例１と同様であり、詳細な説明を省略する。
【００４０】
図５は、タオルの構造を示す図である。第１の帯部３ａと、第２の帯部３ｂとが設けられている。また、２つの帯部３ａ，３ｂに対応して、２つの空間４ａ，４ｂが形成されている。
【００４１】
タオル本体２を空間４ａに嵌入して、帯部３ａとタオル本体２の正面側の装飾により、実施例１と同様の効果を得ることができる。
【００４２】
また、タオル本体を空間４ｂに嵌入して、帯部３ｂとタオル本体２の背面側の装飾により、実施例１と同様の効果を得ることもできる。２つの意匠を楽しむことができることとなる。
【００４３】
以上詳細に説明したように、本実施例のタオル１は、空間４ａ、４ｂのいずれかを選択してそこにタオル本体２を嵌入することで、実施例１と同様の効果を得ることができると共に、２つの意匠を楽しむことができる。
【００４４】
なお、空間４ａ、４ｂは２つ設けずにどちらか一方のみを設けてもよい。例えば、帯部３ｂをタオル本体２に縫合し、空間４ｂのないものとしてもよい。楽しめる意匠は１つになる。かかる構成は、例えば帯部３ａと３ｂとを一体化して１つの帯とすることで、帯部の両端にかかる応力を小さくして耐久性の高いものとすることができる。
【産業上の利用可能性】
【００４５】
干す際に落下することがなく短時間で乾燥させることができ、意匠性に優れたタオルである。多くの個人、特にスポーツ選手による利用が考えられる。
【符号の説明】
【００４６】
１    タオル
２    タオル本体
３    帯部
４    空間
５    物干し竿
【図１】
2020039524.tif 000003
【図２】
2020039524.tif 000004
【図３】
2020039524.tif 000005
【図４】
2020039524.tif 000006
【図５】
2020039524.tif 000007